(57)【特許請求の範囲】
【請求項１】
枢軸により回動可能に連結された第１及び第２のウイング部を有するヒンジ装置において、
前記第１のウイング部と前記第２のウイング部の開角を制限する規制手段を備え、
この規制手段が、前記枢軸の長手方向軸線に直交する方向に伸長するロッドと、前記ロッドの一端部に設けられ且つ前記枢軸に平行な方向に伸長した規制棒とを備え、前記規制棒が、一方の前記ウイング部に設けられ、前記枢軸に直交する方向に長い摺動路に、その長手方向に可動に且つこの摺動路から離脱不能に配置され、前記ロッドの他端が他方の前記ウイング部に枢着され、前記第１のウイング部と第２のウイング部との開角が所定の大きさにある時、前記規制棒が前記摺動路に形成された枢軸側停止部に当接し、前記開角が小さくなる時前記規制棒が前記摺動路に沿って動き、前記規制棒が前記摺動路における前記枢軸側停止部と反対側に形成された停止部に当接すると前記開角が所定の値にまで小さくなり、前記摺動路には、前記規制棒が前記摺動路を移動する時、前記規制棒の動きに抵抗を与える少なくとも１つの突起部が設けられていることを特徴とするヒンジ装置。
【請求項２】
枢軸により回動可能に連結された第１及び第２のウイング部を有するヒンジ装置において、
前記第１のウイング部と前記第２のウイング部の開角を制限する規制手段を備え、
この規制手段が、前記枢軸の長手方向軸線に直交する方向に伸長するロッドと、前記ロッドの両端部にそれぞれ設けられ且つ前記枢軸に平行な方向に伸長した規制棒とを備え、前記各規制棒が、前記第１及び第２のウイング部に設けられ、前記枢軸に直交する方向に長い摺動路に、その長手方向に可動に且つこの摺動路から離脱不能にそれぞれ配置され、前記第１のウイング部と第２のウイング部との開角が所定の大きさにある時、前記各規制棒が前記摺動路に形成された枢軸側停止部に当接し、前記開角が小さくなる時前記各規制棒が前記摺動路に沿って動き、前記各規制棒が前記摺動路における前記枢軸側停止部と反対側に形成された停止部に当接すると前記開角が所定の値にまで小さくなり、前記摺動路には、前記規制棒が前記摺動路を移動する時、前記規制棒の動きに抵抗を与える少なくとも１つの突起部が設けられていることを特徴とするヒンジ装置。
【請求項３】
前記突起部がスプリングにより前記摺動路に突出可能に付勢され、前記規制棒が前記摺動路に沿って動く時、この規制棒に押されて前記スプリングの収納穴に入り込む請求項１または２に記載のヒンジ装置。
【請求項４】
前記摺動路が前記第１及び第２のウイング部の少なくとも一方に設けられたブロック部に形成されたスロットである請求項１〜３のいずれかに記載のヒンジ装置。
【請求項５】
前記規制棒が、前記ロッドの端部において前記ロッドの両側に伸長して設けられ、前記ロッドと前記規制棒とでＴ字形を形成している請求項１〜４のいずれかに記載のヒンジ装置。
【発明の詳細な説明】
【０００１】
【発明の属する技術分野】
本発明はヒンジ装置に関し、更に詳細には枢軸で回動可能に連結された第１のウイング部と第２のウイング部とから構成されるヒンジ装置によって各ウイング部の相対的な開角を制限することができるヒンジ装置に関する。
【０００２】
【従来の技術】
従来、建物の出入り口に設けられた扉やハッチなどには、これを周囲のフレームに対して回動可能に支持するためのヒンジ装置が設けられ、これら扉やハッチなどを開け閉め可能にしている。
【０００３】
一般的なヒンジ装置は、枢軸により回動可能に連結された第１及び第２のウイング部とから構成され、各ウイング部はそれぞれ取付けねじ挿入用の穴を備えた取付け板と、枢軸が挿入される軸受け筒部とを一体的に形成して構成されている。このようなヒンジ装置の使用方法としては、周知のように、一方のウイング部の取付け板が、隣接して配置された例えばフレームと扉などのような２つの部材の一方に固定され、他方のウイング部の取付け板が他方の部材に固定され、これにより２つの部材を相対的に回動可能に支持するようにして用いられる。
【０００４】
【発明が解決しようとする課題】
しかしながら、従来のヒンジ装置では、単に前述したような２つの部材を相対的に回動できるように連結しているだけで、２つの部材の開角を制限する機能を持ち合わせてはいない。
【０００５】
そのため、建物などの出入り口を開閉する扉などの場合には、扉の開角を制限し、扉を閉鎖方向へ引き寄せ、更には扉の衝撃的な閉鎖を防止する「ドアチェック」と称する装置が設置されることが多い。このようなドアチェックにより、扉は所定の角度で開いた状態でも風などの比較的に小さな外力では閉まることがなく、またそれ以上の外力で扉を閉鎖方向に回動させると扉は静かに閉鎖位置まで回動する。
【０００６】
このように、従来では、単に、開角を制限する必要がある扉などでもヒンジ装置以外に前述したような別体のドアチェックを取り付ける必要があり、コスト的にも或いは設置の手間を考えても問題があった。
【０００７】
本発明の目的は、かかる従来の問題点を解決するためになされたもので、２つのウイング部を回動可能に連結したヒンジ装置に、各ウイング部の開角を制限することのできる機能を設けたヒンジ装置を提供することにある。
【０００８】
【課題を解決するための手段】
本発明はヒンジ装置に関し、前述した技術的課題を解決するために以下のように構成されている。すなわち、本発明は、枢軸により回動可能に連結された第１及び第２のウイング部を有するヒンジ装置において、第１のウイング部と第２のウイング部の開角を制限する規制手段を備え、この規制手段が、枢軸の長手方向軸線に直交する方向に伸長するロッドと、ロッドの一端部に設けられ且つ枢軸に平行な方向に伸長した規制棒とを備え、規制棒が、一方のウイング部に設けられ、枢軸に直交する方向に長い摺動路に、その長手方向に可動に且つこの摺動路から離脱不能に配置され、ロッドの他端が他方のウイング部に枢着され、第１のウイング部と第２のウイング部との開角が所定の大きさにある時、規制棒が摺動路に形成された枢軸側停止部に当接し、開角が小さくなる時規制棒が摺動路に沿って動き、規制棒が摺動路における枢軸側停止部と反対側に形成された停止部に当接すると開角が所定の値にまで小さくなり、前記摺動路には、前記規制棒が前記摺動路を移動する時、前記規制棒の動きに抵抗を与える少なくとも１つの突起部が設けられていることを特徴とする。
【０００９】
また、本発明は、枢軸により回動可能に連結された第１及び第２のウイング部を有するヒンジ装置において、第１のウイング部と前記第２のウイング部の開角を制限する規制手段を備え、この規制手段が、枢軸の長手方向軸線に直交する方向に伸長するロッドと、ロッドの両端部にそれぞれ設けられ且つ枢軸に平行な方向に伸長した規制棒とを備え、各規制棒が、第１及び第２のウイング部に設けられ、枢軸に直交する方向に長い摺動路に、その長手方向に可動に且つこの摺動路から離脱不能にそれぞれ配置され、第１のウイング部と第２のウイング部との開角が所定の大きさにある時、各規制棒が摺動路に形成された枢軸側停止部に当接し、開角が小さくなる時各規制棒が摺動路に沿って動き、各規制棒が摺動路における枢軸側停止部と反対側に形成された停止部に当接すると開角が所定の値にまで小さくなり、前記摺動路には、前記規制棒が前記摺動路を移動する時、前記規制棒の動きに抵抗を与える少なくとも１つの突起部が設けられていることを他の特徴とする。
【００１０】
ここで「第１のウイング部と第２のウイング部との開角が所定の大きさにある時」とは、第１のウイング部と第２のウイング部とが例えばフレームと扉のような相対的に回動する２つの部材にそれぞれ取り付けられて使用される時、扉が閉鎖状態にある時の両ウイング部の開角を意味し、これを初期位置とする。このヒンジ装置では、第１のウイング部と第２のウイング部の各取付け板がほぼ同一面に位置している状態即ち両ウイング部間の開角が１８０度の状態を初期位置として使用することが好ましい。
【００１２】
更に、本発明のヒンジ装置において、突起部をスプリングにより摺動路に突出可能に付勢し、規制棒が摺動路に沿って動く時、この規制棒に押されてスプリングの収納穴に入り込むようにしておくことも好ましい。また、摺動路の好ましい形態としては、第１及び第２のウイング部に設けられたブロック部に形成されたスロットである。
【００１３】
なお、本発明のヒンジ装置では、ロッドの端部においてロッドの両側に規制棒を張り出すように設けることも好ましく、即ちこの場合ロッドと規制棒とでＴ字形を形成している。
【００１４】
【発明の実施の形態】
以下、本発明のヒンジ装置を図に示される実施形態について更に詳細に説明する。図１は本発明の一実施形態に係るヒンジ装置１０を示す斜視図、図２は図１の２−２線に沿ってヒンジ装置１０を切断して示す縦断面図、図３は図２の３−３線でヒンジ装置１０を切断して示す横断面図、図４及び図５はヒンジ装置１０の動作を説明する斜視図及び断面図である。
【００１５】
この実施形態に係るヒンジ装置１０は、図１〜図３に示されるように、基本的には、第１及び第２のウイング部１２ａ、１２ｂとを備え、各ウイング部１２ａ、１２ｂは、従来のヒンジ装置と同様にそれぞれ取付けねじ挿入用の穴１３を備えた取付け板１４ａ、１４ｂと、この取付け板に一体的に形成され、枢軸１１が挿入される軸受け筒部１５ａ、１５ｂとを備えている。
【００１６】
具体的には、第１のウイング部１２ａについては取付け板１４ａの両端部側における一側部に２つの軸受け筒部１５ａが設けられ、第２のウイング部１２ｂについては取付け板１４ｂの中間部における一側部に２つの軸受け筒部１５ｂが端面どうしを対向させるように間隔をあけて並んで設けられている。
【００１７】
第１のウイング部１２ａと第２のウイング部１２ｂとは、前者における２つの軸受け筒部１５ａの間に後者の軸受け筒部１５ｂが位置し、これら各軸受け筒部１５ａ、１５ｂが一軸線上に整列するように配置され、隣接する２つの軸受け筒部１５ａ、１５ｂを１組として２組の軸受け筒部１５ａ、１５ｂにそれぞれ別体の枢軸１１を挿入して組み付けられている。
【００１８】
従って、このヒンジ装置１０において、２つの軸受け筒部１５ｂの端面が対向する間隙１６には枢軸１１が通っていない。このようなヒンジ装置１０は、第１のウイング部１２ａと第２のウイング部１２ｂのいずれか一方を他方に対して枢軸１１を中心に相対的に回動する時、第１のウイング部１２ａと第２のウイング部１２ｂの開角を制限する規制手段１７を備えている。
【００１９】
この規制手段１７は、ロッド１７ａを備え、このロッド１７ａは、前述した２つの軸受け筒部１５ｂの端面が対向して形成する間隙１６内に配置され、第１及び第２のウイング部１２ａ、１２ｂにまで延びている。また、規制手段１７は、ロッド１７ａの両端においてこのロッド１７ａに直交して両側方に伸長した断面が円形の規制棒１７ｂを備えている。すなわち、ロッド１７ａの両端部では、ロッド１７ａと規制棒１７ｂとがＴ字形をなしている。
【００２０】
各ウイング部１２ａ、１２ｂの上面側には、枢軸１１に直交する方向に長い摺動路として４つの長円形のスロット１８が設けられている。各スロット１８は、各ウイング部１２ａ、１２ｂの上面側に一体に形成されたブロック部１９に枢軸１１と平行な方向に貫通して形成されている。各規制棒１７ｂは、これらのスロット１８内にその長孔方向へ摺動可能且つ回転可能に配置されている。各規制棒１７ｂはロッド１７ａに固定されているものであって、スロット１８内から離脱することはできない。
【００２１】
このような規制棒１７ｂのスロット１８内への挿入は、規制手段１７の組み立て時になされる。この規制手段１７の構造は以下の通りである。図１及び図２から明らかなように、規制手段１７のロッド１７ａは、断面がほぼ四角形の筒状体１７ｃと止めねじ１７ｄとから構成されている。
【００２２】
筒状体１７ｃの両端部は、２本の規制棒１７ｂを一体に形成したそれぞれ１本の棒状体の中間部外面に形成された凹部１７ｅ、１７ｆに緊密に嵌合し、一方の棒状体において凹部１７ｅの中心を貫通して形成された孔１７ｇから止めねじ１７ｄを挿入し、他方の棒状体において同様に凹部１７ｆの中心を貫通して形成されたねじ孔１７ｈに先端部を螺合し、これにより２本の棒状体が筒状体１７ｃに固定されることになる。
【００２３】
従って、予め２本の棒状体をそれぞれ各ウイング部１２ａ、１２ｂにおける２つのスロット１８に通し、次いで筒状体１７ｃを間隙１６に配置しながらその両端を各棒状体の中間部に形成されている凹部１７ｅ、１７ｆに嵌め込み、その後止めねじ１７ｄを一方の貫通孔１７ｇから差し入れて筒状体１７ｃ内を通し、他方の棒状体のねじ孔１７ｈに螺着して連結することにより規制手段が１７が組み立てられる。このようにして２つのウイング部１２ａ、１２ｂに組み付けられた規制手段１７において、筒状体１７ｃの両端に固定された棒状体の両端側が規制棒１７ｂとなる。
【００２４】
第１及び第２のウイング部１２ａ、１２ｂに設けられたそれぞれのスロット１８と規制手段１７との関係は、第１及び第２のウイング部１２ａ、１２ｂの開角が１８０度（第１及び第２のウイング部１２ａ、１２ｂが同一面内に位置する状態）の時、ロッド１７ａの両端部に設けられた各規制棒１７ｂがスロット１８の枢軸側内端１８ａに接触するように設計されていることが必要である。このスロット１８の内端１８ａは、規制棒１７ｂの枢軸側への移動を停止させる停止部として作用する。
【００２５】
また、第１及び第２のウイング部１２ａ、１２ｂが相対的に回動する時、規制手段１７の規制棒１７ｂは、スロット１８内を僅かに回転しながら枢軸１１から離れる方向へ摺動し、スロット１８における枢軸側内端１８ａと反対側の内端１８ｂに当接する。その時、第１のウイング部１２ａと第２のウイング部１２ｂとの開角は最小となる。この点については、後述するヒンジ装置１０の動作説明で更に詳しく説明する。
【００２６】
第１及び第２のウイング部１２ａ、１２ｂが相対的に回動する時に規制手段１７の規制棒１７ｂが摺動するスロット１８の面（摺動面）には、規制棒１７ｂの摺動に抵抗を与える突起部としてボール２０が設けられている。すなわち、図２に示されるように、スロット１８の摺動面に形成された穴２１にはコイルスプリング２２が収納され、このコイルスプリング２２の上にボール２０が乗り、そのボール２０が規制棒１７ｂに下方から当接している。
【００２７】
好ましくは、ボール２０は、コイルスプリング２２に押し上げられて穴２１からその一部のみが突出するようにボール２０の直径より小さな開口径を有する穴２１に収納されている。図２から明らかなように、第１及び第２のウイング部１２ａ、１２ｂの開角が１８０度の時に、ボール２０は規制棒１７ｂの摺動面上接触点から枢軸１１とは反対側に寄った位置で規制棒１７ｂの周面に当接している。
【００２８】
そのため、ボール２０は、規制棒１７ｂが枢軸１１から遠ざかる方向へ摺動する時に、規制棒１７ｂの摺動に抵抗を与える。これにより、２つのウイング部１２ａ、１２ｂの開角が１８０度の時の初期位置から両ウイング部１２ａ、１２ｂを相対的に回動させようとする際には、規制棒１７ｂがボール２０を介してスプリング２２を押圧するための力が必要となるから、このボール２０は、第１及び第２のウイング部１２ａ、１２ｂが不用意に回動することを防ぐストッパとしての機能を果たす。
【００２９】
次に、ヒンジ装置１０の作動を、図４及び図５を参照して説明する。図１に示されるヒンジ装置１０を構成する第１のウイング部１２ａが扉（図示せず）に取り付けられ、第２のウイング部１２ｂがこの扉に対応する固定フレーム（図示せず）に取り付けられているとする。
【００３０】
この固定フレームに対して閉じている扉を開くと、図１及び図２に示されている第１のウイング部１２ａが第２のウイング部１２ｂに対し枢軸１１を中心として矢印ｙで示す方向へ回動を始める。規制手段１７のロッド１７ａは一定の長さであるため、ロッド１７ａの端部に設けられた規制棒１７ｂがスロット１８内を移動して、スロット１８の内端１８ａから「逃げる」ことになる。
【００３１】
この時、第１及び第２のウイング部１２ａ、１２ｂにおける開角が１８０度の時の初期位置では、各規制棒１７ｂがスロット１８の枢軸側内端１８ａに既に当接しているため、規制棒１７ｂはスロット１８の枢軸側内端１８ａとは反対側の内端１８ｂの方向にしか動きようがなく、従ってこの方向が逃げ方向となる。
【００３２】
しかし、最初に動くのは、ロッド１７ａの一方の端部に設けられた規制棒１７ｂだけであり、これがスロット１８内の枢軸側内端１８ａとは反対側の内端１８ｂに当接するまで移動する。この理由は以下の通りである。ロッド１７ａの両端部に設けられた両規制棒１７ｂが摺動し始める時に、両規制棒１７ｂはコイルスプリング２２により摺動面に突出しているそれぞれのボール２０によって同時に抵抗を受ける。
【００３３】
しかし、このコイルスプリング２２の付勢力は、製作上の問題等から全く同一ではなく僅かに相違する。そのため各規制棒１７ｂがボール２０より受ける抵抗力に差が出ることから一方の規制棒１７だけが最初に動く。このようにして一方の規制棒１７ｂがボール２０を穴２１内にコイルスプリング２２の付勢力に抗して押し込みながらスロット１８内を移動して枢軸側内端１８ａとは反対側の内端１８ｂに当接し、もう一方の規制棒１７ｂはスロット１８の内端１８ａに当接したままである。この時の第１のウイング部１２ａと第２のウイング部１２ｂとは全回動範囲内の中間で停止している。
【００３４】
第１のウイング部１２ａが第２のウイング部１２ｂに対し枢軸１１を中心として更に回動を継続すると、既にスロット１８における枢軸側内端１８ａとは反対側の内端１８ｂに当接している規制棒１７ｂは動きようがないため、他方の規制棒１７ｂを移動させるようにロッド１７ａに力（移動力）が作用する。その結果、他方の規制棒１７ｂがスロット１８内を、枢軸側内端１８ａからそれとは反対側の内端１８ｂに向かって移動し、この内端１８ｂに当接する。
【００３５】
図４及び図５は、このように規制手段１７におけるロッド１７ａの両端に設けられた２つの規制棒１７ｂの両方共がスロット１８内の枢軸側内端１８ａとは反対側の内端１８ｂに当接した状態を示している。このような状態になると、両規制棒１７ｂは枢軸１１から離れる方向へはもはや動くことはできないので、第１のウイング部１２ａと第２のウイング部１２ｂとのそれ以上の回動は停止する。すなわち、この状態が第１のウイング部１２ａと第２のウイング部１２ｂとの最小開角となる。
【００３６】
図４及び図５から明らかなように、規制棒１７ｂのそれぞれは、ボール２０をスプリング収納穴２１内に押し込みながらこのボール２０上を通過して内端１８ａから内端１８ｂに向かい、最終的にスロット１８の内端１８ｂに当接する。各規制棒１７ｂがスロット１８の内端１８ｂに当接する位置では、ボール２０が摺動面に再び突出して、規制棒１７ｂの摺動面上接触点より枢軸側に僅かに寄った位置で規制棒１７ｂの周面に接触している。
【００３７】
そのため、ボール２０は、規制棒１７ｂの内端１８ａに向かう移動を阻止する抵抗力を与えることになる。その結果、２つのウイング部１２ａ、１２ｂを図１に示される状態に戻すにはコイルスプリング２２を押圧するだけの力が必要となるため、両ウイング部１２ａ、１２ｂのその時の開角は、ボール２０によって受ける抵抗力により維持されることになる。
【００３８】
以上の動作説明から明らかなように、２つのウイング部１２ａ、１２ｂの回動範囲は、各スロット１８の長さに依存することになる。従って、各スロット１８の長さを適宜に設計すれば、２つのウイング部１２ａ、１２ｂの回動範囲を任意に設定することができる。ただし、図示の実施形態に係るヒンジ装置１０では、規制棒１７ｂが両ウイング部１２ａ、１２ｂの初期位置と最小開角とのいずれの位置でも１つのボール２０による移動阻止力を受けるようにスロット１８の長さが設定されている。
【００３９】
前述した実施形態のヒンジ装置１０における規制手段１７では、ロッド１７ａの両端に規制棒１７ｂを形成し、これら両規制棒１７ｂを摺動させるスロット１８を各ウイング部１２ａ、１２ｂに形成したが、規制棒１７ｂはロッド１７ａの一方のみでもよい。
【００４０】
すなわち、図６に示されるように、第２のウイング部１２ｂではロッド１７ａの一端に規制棒１７ｂを形成してスロット１８内に摺動可能に収納し、第１のウイング部１２ａではロッド１７ａの他端に設けた軸部２３を軸受け部２４で回転可能に支持しておくのである。このように構成した場合には、２つのウイング部１２ａ、１２ｂの相対的回動において開角１８０度から最小開角までの範囲において中間での停止は起こらない。
【００４１】
また、規制棒１７ｂが移動するスロット１８が取付け板１４ａ、１４ｂに形成されたブロック部に形成されたが、本発明のヒンジ装置では、このようなスロットに限定されるものではなく、規制棒が摺動面から外れない限りどのような構成の摺動路であってもよい。
【００４２】
更に、前述した実施形態のヒンジ装置１０では、規制手段１７の構成として、ロッド１７ａの各端部においてロッド１７ａの両側方に規制棒１７ｂを設けたが、本発明ではロッド１７ａのいずれか一端又は両端部において一側方にのみ規制棒１７ｂを設けるだけでもよい。
【００４３】
この規制手段１７の構成に関して、更に付け加えれば、規制棒１７ｂは、２つのウイング部１２ａ、１２ｂが相対的に回動する時、スロット１８内を摺動しながら摺動面上で相対的に回転を起こす。しかし、その回転量は微小であることから、規制棒１７ｂの断面は必ずしも円形とする必要はなく、周面をその回転が起こる範囲（回転角の範囲）で円弧からなる曲面部としておくだけでもよい。
【００４４】
更にまた、前述した実施形態のヒンジ装置１０では、スロット１８内での規制棒１７ｂの動きに抵抗を与える突起部としてのボール２０をスロット１８に１つだけ設け、開角が１８０度の初期位置から回動を始める際、及び最小開角から初期位置に向かって回動し始める際の両方の時に抵抗を与えるようにしたが、本発明のヒンジ装置では、このような例に限定されるものではなく、スロット１８には規制棒が摺動する部位に複数の前述したようなボールを適宜の間隔をあけて設置してもよい。
【００４５】
規制棒が摺動する部位に、相互に間隔をあけて複数のボールを設置すると、規制棒がこのボールをスプリング収納穴に押し込んで通過する際に抵抗力が与えられるため、一方のウイング部が取り付けられた例えば扉をフレームに対して回動すると、この扉の全回動範囲の途中でその回動に抵抗力が掛かるため、複数の中間停止位置を設定することができる。
【００４６】
更に、図１〜図３に示されるヒンジ装置では、２つのウイング部１２ａ、１２ｂの開角が１８０度の時を規制棒が枢軸側内端１８ａに当接する初期位置としたが、この初期位置は２つのウイング部１２ａ、１２ｂの開角が１８０度の時に限定されるものではなく、例えば扉をフレームに開閉可能に支持させるような場合、扉が閉鎖位置にある時の２つのウイング部１２ａ、１２ｂの開角が９０度である時を初期位置としてもよいことは言うまでもない。
【００４７】
【発明の効果】
以上説明したように、本発明のヒンジ装置によれば、２つのウイング部を回動可能に連結したヒンジ装置に両ウイング部の開角を制限することのできる機能を設けたことにより、従来のように別体の装置を設ける必要がなく、その別体の装置を設置するためのスペースや手間が不要になる。
【図面の簡単な説明】
【図１】本発明の一実施形態に係るヒンジ装置を示す斜視図である。
【図２】図１のヒンジ装置を２−２線で切断して示す縦断面図である。
【図３】図１のヒンジ装置を３−３線で切断して示す横断面図である。
【図４】図１に示されるヒンジ装置の２つのウイング部を回動させて最大開き角度にした状態を示す斜視図である。
【図５】図４のヒンジ装置を５−５線で切断して示す縦断面図である。
【図６】本発明の他の実施形態に係るヒンジ装置を示す斜視図である。
【符号の説明】
１０  ヒンジ装置
１１  枢軸
１２ａ  第１のウイング部
１２ｂ  第２のウイング部
１３  取付けねじ挿入用の穴
１４ａ  取付け板
１４ｂ  取付け板
１５ａ  軸受け筒部
１５ｂ  軸受け筒部
１６  間隔部
１７  規制手段
１７ａ  ロッド
１７ｂ  規制棒
１７ｃ  筒状体
１７ｄ  止めねじ
１８  スロット
１９  ブロック部
２０  ボール
２１  穴
２２  コイルスプリング
２３  軸部
２４  軸受け部
【図１】
0003860481.tif 000002
【図２】
0003860481.tif 000003
【図３】
0003860481.tif 000004
【図４】
0003860481.tif 000005
【図５】
0003860481.tif 000006
【図６】
0003860481.tif 000007